【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
第１のレンズを介して測定光が照射された被検査物からの戻り光と、該測定光に対応する参照光とを合波した光に基づいて、該被検査物の断層画像を取得する光断層撮像装置であって、
前記測定光の光路に設けられ、前記被検査物に対して前記測定光を第１の方向に走査する第１の走査手段と、
前記測定光の光路に設けられ、前記第１の方向に交差する第２の方向に走査する第２の走査手段と、
前記測定光の光路における前記第１及び第２の走査手段と前記第１のレンズとの間に配置され、前記第１のレンズの焦点距離よりも長い焦点距離を持つ第２のレンズと、
前記第１のレンズと前記第２のレンズとの間に配置され、前記測定光の光路から前記被検査物を観察する観察光路に分岐する光路分岐手段と、を有し、
前記第１及び第２の走査手段の中間の位置が、前記第２のレンズの略焦点位置であり、
前記第１及び第２の走査手段が、前記測定光が前記第１のレンズを介して前記被検査物に照射する角度よりも小さい角度で前記測定光を走査することを特徴とする光断層撮像装置。
【請求項２】
前記第１のレンズが、球面収差を低減するための非球面を持つレンズであることを特徴とする請求項１に記載の光断層撮像装置。
【請求項３】
前記第２のレンズが、屈折率の異なる複数枚の球面レンズを張り合わせる構成であることを特徴とすることを特徴とする請求項１または２に記載の光断層撮像装置。
【請求項４】
前記被検査物は、被検眼であり、
前記第１及び第２の走査手段は、前記被検眼の前眼部と略共役な位置に設けられることを特徴とする請求項１乃至３のいずれか１項に記載の光断層撮像装置。
【請求項５】
前記被検査物は、被検眼であり、
前記観察光路に配置され、前記被検眼の眼底に対して眼底観察用の光を互いに交差する方向に走査する第３及び第４の走査手段と、
前記観察光路に配置され、前記第３及び第４の走査手段と前記光路分岐手段との間に配置された第３のレンズと、を更に有し、
前記第３及び第４の走査手段の中間の位置が、前記第３のレンズの略焦点位置であり、
前記第３及び第４の走査手段が、前記測定光が前記第３のレンズを介して前記被検眼に照射する角度よりも小さい角度で前記測定光を走査することを特徴とする請求項１乃至３のいずれか１項に記載の光断層撮像装置。
【請求項６】
前記第１及び第２の走査手段の間が前記被検眼の前眼部に対して略共役になるように、前記第２のレンズと前記第１及び第２の走査手段とが配置され、
前記第３及び第４の走査手段の間が前記前眼部に対して略共役になるように、前記第３のレンズと前記第３及び第４の走査手段とが配置されることを特徴とする請求項５に記載の光断層撮像装置。
【請求項７】
前記観察光路に設けられた第１の光源と、
前記第３及び第４の走査手段よりも前記第１の光源の側に配置された第２の光源と、を更に有し、
前記第３及び第４の走査手段は、固視用の走査手段として用いられることを特徴とする請求項５または６に記載の光断層撮像装置。
【請求項８】
前記第１乃至第３のレンズ、及び前記第１乃至第４の走査手段は、前記前眼部に対して共役な前記第１及び第２の走査手段の中心位置での光学的倍率が、前記前眼部に対する前記第３及び第４の走査手段の中心位置での光学的倍率と等しくなるように配置されることを特徴とする請求項５乃至７のいずれか１項に記載の光断層撮像装置。
【請求項９】
光源から発生された光を前記測定光と前記参照光とに分割する分割手段を更に有し、
前記光源は、約８５５ｎｍの中心波長、約１００ｎｍの波長幅の光を発生させ、
前記眼底観察用の光は、約７８０ｎｍの波長の光であることを特徴とする請求項５乃至８のいずれか１項に記載の光断層撮像装置。
【請求項１０】
前記第１のレンズと前記第２のレンズとの間に配置され、前記測定光の波長とは異なる波長の光を分離することにより、前記測定光の光路から前記被検眼の前眼部を観察するための前眼観察光学系の光路に分岐する第２の光路分岐手段を更に有し、
前記前眼観察光学系の光路は、前記第２の光路分岐手段の透過光路に配置され、
前記測定光の光路は、前記第２の光路分岐手段の反射光路に配置されることを特徴とする請求項１乃至９のいずれか１項に記載の光断層撮像装置。
【請求項１１】
前記第２の光路分岐手段は、前記光路分岐手段よりも前記第１のレンズの側に配置され、
前記観察光路及び前記測定光の光路は、前記第２の光路分岐手段の反射光路に配置されることを特徴とする請求項１０に記載の光断層撮像装置。
【請求項１２】
第１のレンズを介して測定光が照射された被検査物からの戻り光と、該測定光に対応する参照光とを合波した光に基づいて、該被検査物の断層画像を取得する光断層撮像装置であって、
前記測定光の光路に設けられ、前記被検査物に対して前記測定光を走査する走査手段と、
前記測定光の光路における前記走査手段と前記第１のレンズとの間に配置され、前記第１のレンズの焦点距離よりも長い焦点距離を持つ第２のレンズと、
前記第１のレンズと前記第２のレンズとの間に配置され、前記測定光の光路から前記被検査物を観察する観察光路に分岐する光路分岐手段と、を有し、
前記走査手段が、前記第２のレンズの略焦点位置に配置され、
前記走査手段が、前記測定光が前記第１のレンズを介して前記被検査物に照射する角度よりも小さい角度で前記測定光を走査することを特徴とする光断層撮像装置。
【請求項１３】
第１のレンズを介して測定光が照射された被検査物からの戻り光と、該測定光に対応する参照光とを合波した光に基づいて、該被検査物の断層画像を取得する光断層撮像装置であって、
前記測定光の光路に設けられ、前記被検査物に対して前記測定光を走査する走査手段と、
前記測定光の光路における前記走査手段と前記第１のレンズとの間に配置され、前記第１のレンズの焦点距離よりも長い焦点距離を持つ第２のレンズと、
前記第１のレンズと前記第２のレンズとの間に配置され、前記測定光の光路から前記被検査物を観察する観察光路に分岐する光路分岐手段と、を有し、
前記第１のレンズが、球面収差を低減するための非球面を持つレンズであることを特徴とする光断層撮像装置。
【請求項１４】
前記被検査物は、被検眼であり、
前記走査手段は、前記被検眼の前眼部と略共役な位置に設けられることを特徴とする請求項１２または１３に記載の光断層撮像装置。
【手続補正２】
【補正対象書類名】明細書
【補正対象項目名】０００９
【補正方法】変更
【補正の内容】
【０００９】
上記の目的を達成する本発明に係る光断層撮像装置の一つは、
第１のレンズを介して測定光が照射された被検査物からの戻り光と、該測定光に対応する参照光とを合波した光に基づいて、該被検査物の断層画像を取得する光断層撮像装置であって、
前記測定光の光路に設けられ、前記被検査物に対して前記測定光を第１の方向に走査する第１の走査手段と、
前記測定光の光路に設けられ、前記第１の方向に交差する第２の方向に走査する第２の走査手段と、
前記測定光の光路における前記第１及び第２の走査手段と前記第１のレンズとの間に配置され、前記第１のレンズの焦点距離よりも長い焦点距離を持つ第２のレンズと、
前記第１のレンズと前記第２のレンズとの間に配置され、前記測定光の光路から前記被検査物を観察する観察光路に分岐する光路分岐手段と、を有し、
前記第１及び第２の走査手段の中間の位置が、前記第２のレンズの略焦点位置であり、
前記第１及び第２の走査手段が、前記測定光が前記第１のレンズを介して前記被検査物に照射する角度よりも小さい角度で前記測定光を走査する。